(57)【要約】【課題】  作業者の負担を軽減するとともに、反射板にかかるトータルコストの低減を図る。【解決手段】  圧胴１の切欠き３内に設けた爪台バー６上には反射板７が備えられている。圧胴１の所定の回転角度位置において、回帰反射型光電センサ１１の投光器からの光が反射板７で反射することにより受光器で受光される。回帰反射型光電センサ１１によって、爪４にくわえ替えられた紙５の有無を検出して紙落としを検知する。そして、反射板７は耐溶剤性が高く、かつ透明度が高いＰＥＴ樹脂によってラミネートされている。【選択図】        図１
2005193509.tif 000002
【特許請求の範囲】
【請求項１】
シート状物を保持し搬送する搬送胴と、
この搬送胴に保持されたシート状物により覆われる位置に配設された反射部材と、
投光器と前記反射部材で反射された光を受光する受光器とによって構成されるシート状物検出装置とを備えたシート状物の送り異常検出装置において、
前記反射部材を耐溶剤性が高く、かつ透明度が高い材料によって密封したことを特徴とするシート状物の送り異常検出装置。
【請求項２】
請求項１記載のシート状物の送り異常検出装置において、
前記材料を樹脂とし、この樹脂によってラミネート加工で前記反射部材を密封したことを特徴とするシート状物の送り異常検出装置。
【請求項３】
シート状物を保持し搬送する搬送胴と、
この搬送胴に保持されたシート状物により覆われる位置に配設された反射部材と、
投光器と前記反射部材で反射された光を受光する受光器とによって構成されるシート状物検出装置とを備えたシート状物の送り異常検出装置において、
前記反射部材をポリエテレンテレフタレート樹脂によって密封したことを特徴とするシート状物の送り異常検出装置。
【請求項４】
シート状物を保持し搬送する搬送胴と、
この搬送胴に保持されたシート状物により覆われる位置に配設された反射部材と、
投光器と前記反射部材で反射された光を受光する受光器とによって構成されるシート状物検出装置とを備えたシート状物の送り異常検出装置において、
前記反射部材をポリ塩化ビニールによって密封したことを特徴とするシート状物の送り異常検出装置。
【請求項５】
シート状物を保持し搬送する搬送胴と、
この搬送胴に保持されたシート状物により覆われる位置に配設された反射部材と、
投光器と前記反射部材で反射された光を受光する受光器とによって構成されるシート状物検出装置とを備えたシート状物の送り異常検出装置において、
前記反射部材をポリカーボネート樹脂によって密封したことを特徴とするシート状物の送り異常検出装置。
【請求項６】
シート状物を保持し搬送する搬送胴と、
この搬送胴に保持されたシート状物により覆われる位置に配設された反射部材と、
投光器と前記反射部材で反射された光を受光する受光器とによって構成されるシート状物検出装置とを備えたシート状物の送り異常検出装置において、
前記反射部材をアクリル樹脂によって密封したことを特徴とするシート状物の送り異常検出装置。
【発明の詳細な説明】
【技術分野】
【０００１】
本発明は、枚葉輪転印刷機等において紙がくわえられずに落ちる、いわゆる紙落とし現象を検知するシート状物の送り異常検出装置に関するものである。
【背景技術】
【０００２】
従来のシート状物の送り異常検出装置は、搬送胴の切欠きに紙落としを検知する反射板を設け、この反射板からの反射光を受光することにより紙落としを検知する第１のセンサと、前記反射板の汚れを検出する第２のセンサとを備え、仮に反射板の表面が汚れていたとしても、第１のセンサによって紙落としを正確に検知するものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２０００−１５７８６号公報（段落「００１４」、「００２０」、図１，２）
【発明の開示】
【発明が解決しようとする課題】
【０００３】
上述した従来のシート状物の送り異常検出装置においては、反射板の汚れによる誤検知を防止することはできる。しかしながら、圧胴の清掃時に使用されるシンナー等の洗浄用溶剤が反射板の表面に付着することによって、反射板の素材（プラスチック）自体が変質し、反射板の表面が曇って反射板として機能しなくなることがある。特に、ＵＶインキ洗浄用溶剤を使用しなければならない場合には顕著になる。このように素材が変質してしまうと、反射板を洗浄しても反射板としては機能しなくなるために、洗浄の毎に反射板自体を頻繁に交換しなければならなくなる。このため、作業者の負担が大きくなるというばかりではなく、反射板にかかるトータルコストも増大するという問題があった。
【０００４】
この問題を解決するものとして、図４に示すように、搬送胴に設けられた爪台バー６に固定された反射板７をアクリル製の蓋１５によって覆い、この蓋１５の周りを囲む充填接着剤１６によって蓋１５を固定し、反射板７の表面への洗浄用溶剤１７の付着を防止した構造のものが提案されている。しかしながら、この構造のものにおいては、蓋１５を完全に固定することが難しく、隙間が発生するおそれがあるということや、長期間の使用によって充填接着剤１６が溶融すること等により、洗浄用溶剤１７の反射板７への侵入を必ずしも阻止できるものではなかった。
【０００５】
本発明は上記した従来の問題に鑑みなされたものであり、第１の目的は作業者の負担を軽減することにある。また、第２の目的は反射板にかかるトータルコストの低減を図ることにある。
【課題を解決するための手段】
【０００６】
この目的を達成するために、請求項１に係る発明は、シート状物を保持し搬送する搬送胴と、この搬送胴に保持されたシート状物により覆われる位置に配設された反射部材と、投光器と前記反射部材で反射された光を受光する受光器とによって構成されるシート状物検出装置とを備えたシート状物の送り異常検出装置において、前記反射部材を耐溶剤性が高く、かつ透明度が高い材料によって密封したものである。
【０００７】
請求項２に係る発明は、請求項１に係る発明において、前記材料を樹脂とし、この樹脂によってラミネート加工で前記反射部材を密封したものである。
【０００８】
請求項３に係る発明は、シート状物を保持し搬送する搬送胴と、この搬送胴に保持されたシート状物により覆われる位置に配設された反射部材と、投光器と前記反射部材で反射された光を受光する受光器とによって構成されるシート状物検出装置とを備えたシート状物の送り異常検出装置において、前記反射部材をポリエテレンテレフタレート樹脂によって密封したものである。
【０００９】
請求項４に係る発明は、シート状物を保持し搬送する搬送胴と、この搬送胴に保持されたシート状物により覆われる位置に配設された反射部材と、投光器と前記反射部材で反射された光を受光する受光器とによって構成されるシート状物検出装置とを備えたシート状物の送り異常検出装置において、前記反射部材をポリ塩化ビニールによって密封したものである。
【００１０】
請求項５に係る発明は、シート状物を保持し搬送する搬送胴と、この搬送胴に保持されたシート状物により覆われる位置に配設された反射部材と、投光器と前記反射部材で反射された光を受光する受光器とによって構成されるシート状物検出装置とを備えたシート状物の送り異常検出装置において、前記反射部材をポリカーボネート樹脂によって密封したものである。
【００１１】
請求項６に係る発明は、シート状物を保持し搬送する搬送胴と、この搬送胴に保持されたシート状物により覆われる位置に配設された反射部材と、投光器と前記反射部材で反射された光を受光する受光器とによって構成されるシート状物検出装置とを備えたシート状物の送り異常検出装置において、前記反射部材をアクリル樹脂によって密封したものである。
【発明の効果】
【００１２】
本発明によれば、反射板の交換頻度が低減するため、作業者の負担を軽減させることができるばかりか、反射板のトータルコストも低減することができる。
【発明を実施するための最良の形態】
【００１３】
以下、本発明の実施の形態を図に基づいて説明する。図１（ａ）は本発明に係るシート状物の送り異常検出装置の側面図、同図（ｂ）は同図（ａ）における I（ｂ）矢視図、図２は同じく要部を拡大して示し、同図（ａ）は平面図、同図（ｂ）は側面図、図３は同じく検出動作を説明するための要部を示し、同図（ａ）は紙有りを検出する状態を示し、同図（ｂ）は紙無しを検出する状態を示す。なお、これらの図において、説明の便宜上反射板７にハッチングを付している。
【００１４】
図１に符号１で示す圧胴は、反転胴２に対接するように、反転機構付枚葉輪転印刷機の左右のフレーム（図示せず）間に回転自在に軸支されている。この圧胴１の周部には、軸線方向に延在する切欠き３が設けられており、この切欠き３内には、爪台５と共に紙Ｐをくわえる複数の爪４が、同図（ｂ）に示すように圧胴１の軸線方向に所定の間隔をおいて設けられている。
【００１５】
図２において、７は反射板であって、プラスチックによって扁平な立方体に形成され表面に微細な凹凸が設けられており、ラミネート加工によって全体が耐溶剤性が高く、かつ透明度の高いポリエチレンテレフタレート（ＰＥＴ）樹脂８で覆うことによって密封されている。９は薄片のばね材によって形成された押え片であって、長孔９ｃが設けられた基部９ａと、この基部９ａと直角に折曲形成され平面視において間隔Ｄだけ離間するように設けられた一対の押え部９ｂ，９ｂとによって一体に形成されている。これら押え部９ｂ，９ｂ間の間隔Ｄは、反射板７の幅Ｗよりもわずかに小さく形成されている。
【００１６】
反射板７は切欠き３内に設けられた爪台バー６上に載置され、この反射板７上に押え片９の押え部９ｂ，９ｂを載置するようにして、基部９ａの長孔９ｃに挿通させたボルト１０を爪台バー６のねじ穴６ａに螺合することによって、反射板７が押え部９ｂ，９ｂによって爪台バー６上に押さえつけられるようにして固定される。このように押え片９によって爪台バー６上に固定された反射板７は、押え部９ｂ，９ｂ間の間隔Ｄと、反射板７の全長Ｌ１とによって形成される領域が、押え部９ｂ，９ｂの間から露呈している。
【００１７】
図３において、１１は従来から広く知られた投光器と受光器とを備えたシート状物検出装置としての回帰反射型光電センサであって、同図（ｂ）に示すように圧胴１が所定の回転角度に位置付けられると、投光器からの光が反射板７を照射し、反射板７で反射した光が受光器によって受光されるように、ブラケットを介して印刷機のフレーム（いずれも図示せず）に固定されている。
【００１８】
この回帰反射型光電センサ１１は、反転胴２の爪から圧胴１の爪４に紙Ｐがくわえ替えられ、同図（ａ）に示すように、圧胴１が所定の回転角度に位置付けられると、回帰反射型光電センサ１１と反射板７との間を紙Ｐが遮断する。したがって、回帰反射型光電センサ１１の投光器からの光は、紙Ｐによって遮られ反射板７に到達することがないから受光器で受光されるようなことがない。このように、圧胴１が所定の回転角度に位置付けられているにもかかわらず、回帰反射型光電センサ１１の受光器での受光がないときには、図示を省略した印刷機の制御部では、爪４によって紙Ｐがくわえられていると判断する。
【００１９】
一方、圧胴１が、同図（ｂ）に示すように所定の回転角度に位置付けられたときに、回帰反射型光電センサ１１と反射板７との間に投光器からの光を遮るものがないと、回帰反射型光電センサ１１の投光器から投光された光が反射板７を照射し、反射板７で反射することにより受光器で受光される。すなわち、圧胴１が所定の回転角度に位置付けられたとき、回帰反射型光電センサ１１の投光器から投光された光が受光器によって受光された場合は、図示を省略した印刷機の制御部では、反転胴２の爪から圧胴１の爪４への紙Ｐのくわえ替えができず紙落としがあったと判断する。
【００２０】
ここで、反射板７全体が耐溶剤性が高いＰＥＴ樹脂によって覆われて密封されているため、圧胴１を洗浄するときに洗浄用溶剤のＰＥＴ樹脂８内への侵入を阻止することができるから反射板７の表面に洗浄用溶剤が付着することがない。したがって、洗浄用溶剤によって反射板７の素材が変質するようなことがないため、反射板７を頻繁に交換する必要がなくなるから作業者の負担を軽減させることができるばかりか、反射板７にかかるトータルコストも低減できる。
【００２１】
また、反射板７全体が透明度の高いＰＥＴ樹脂８によって覆われているために、このＰＥＴ樹脂８によって反射板７の反射用の表面積が狭まるようなことがない。このため、限られた設置スペースの中で反射板７の反射用の表面積を最大限に確保することができ、確実な検査を行うことができる。
【００２２】
なお、本実施の形態においては、反射板７をＰＥＴ樹脂８によってラミネート加工したが、反射板７を密封する材料は、ポリ塩化ビニールやポリカーボネート樹脂あるいはアクリル樹脂などでもよい。要は耐溶剤性が高く、かつ透明度の高い材料であればよい。また、密封は、シート状の樹脂により反射板７全体をラミネート加工したり、液体状の密封材の中に反射板７全体を漬けてこの密封材を乾燥させるなどでもよい。要は反射板７に洗浄用溶剤が浸入しないように覆えばよい。また、本実施の形態では、反射板７を圧胴１に設けた例を示したが、反転胴２や渡し胴に実施することもでき、要はシート状物を保持して搬送する搬送胴であればよい。また、シート状物を紙Ｐとしたが、フィルム状のシートでもよい。また、反射板７を爪台バー６に固定するのに押え片９を用いたが、これに限定されず接着剤を用いたり、ＰＥＴ樹脂８を加熱して爪台バー６上に直接溶着するようにしてもよい。
【図面の簡単な説明】
【００２３】
【図１】同図（ａ）は本発明に係るシート状物の送り異常検出装置の側面図、同図（ｂ）は同図（ａ）における I（ｂ）矢視図である。
【図２】本発明に係るシート状物の送り異常検出装置の要部を拡大して示し、同図（ａ）は平面図、同図（ｂ）は側面図である。
【図３】本発明に係るシート状物の送り異常検出装置において検出動作を説明するための要部を示し、同図（ａ）は紙有りを検出する状態を示し、同図（ｂ）は紙無しを検出する状態を示す。
【図４】従来のシート状物の送り異常検出装置の要部を拡大して示し、同図（ａ）は平面図、同図（ｂ）は側面図である。
【符号の説明】
【００２４】
１…圧胴、２…反転胴、３…切欠き、４…爪、６…爪台バー、７…反射板、８…ＰＥＴ樹脂、９…押え片、１１…回帰反射型光電センサ、Ｐ…紙。
【図１】
2005193509.tif 000003
【図２】
2005193509.tif 000004
【図３】
2005193509.tif 000005
【図４】
2005193509.tif 000006
【手続補正書】
【提出日】平成16年6月8日(2004.6.8)
【手続補正１】
【補正対象書類名】特許請求の範囲
【補正対象項目名】請求項３
【補正方法】変更
【補正の内容】
【請求項３】
シート状物を保持し搬送する搬送胴と、
この搬送胴に保持されたシート状物により覆われる位置に配設された反射部材と、
投光器と前記反射部材で反射された光を受光する受光器とによって構成されるシート状物検出装置とを備えたシート状物の送り異常検出装置において、
前記反射部材をポリエチレンテレフタレート樹脂によって密封したことを特徴とするシート状物の送り異常検出装置。
【手続補正２】
【補正対象書類名】明細書
【補正対象項目名】０００８
【補正方法】変更
【補正の内容】
【０００８】
請求項３に係る発明は、シート状物を保持し搬送する搬送胴と、この搬送胴に保持されたシート状物により覆われる位置に配設された反射部材と、投光器と前記反射部材で反射された光を受光する受光器とによって構成されるシート状物検出装置とを備えたシート状物の送り異常検出装置において、前記反射部材をポリエチレンテレフタレート樹脂によって密封したものである。